(57)【要約】【課題】読取視野に対する照度の低下を抑制し得る光学的情報読取装置を提供する。【解決手段】収容部５５が、収容物であるマーカ光照射部２９のレーザダイオードを受光センサ２８の光軸Ｌ２に近接させるために各照明レンズ５１ａ〜５１ｆに近接して配置されている。そして、各照明レンズ５１ａ〜５１ｆのうち照明レンズ５１ｃ，５１ｄは、照射側面５２が、入射側面５３から屈折して出射する照明光Ｌｆを収容部５５に対して回避する方向に屈折させるための屈折部５４を有するように形成されている。【選択図】図１
2011123791.tif 000002
【特許請求の範囲】
【請求項１】
照明光を出射する光源と、
前記光源からの照明光を読取対象に向けて照射する照明レンズと、
前記光源に近接するように配置されて前記読取対象からの反射光を受光する受光手段と、
収容物を前記受光手段の光軸に近接させるために前記照明レンズに近接して配置される収容構造物と、
を備える光学的情報読取装置であって、
前記照明レンズは、前記光源から離間する側の照射側面が、当該光源に近接する側の入射側面から屈折して出射する前記照明光を前記収容構造物に対して回避する方向に屈折させるための屈折部を有するように形成されることを特徴とする光学的情報読取装置。
【請求項２】
前記屈折部は、前記照射側面の収容構造物側にのみ設けられることを特徴とする請求項１に記載の光学的情報読取装置。
【請求項３】
前記屈折部は、当該照明レンズの光軸に対して所定の角度傾斜する平面部を有し、この平面部にて前記照明光を前記収容構造物に対して回避する方向に屈折させることを特徴とする請求項１または２に記載の光学的情報読取装置。
【請求項４】
前記屈折部は、前記平面部とこの平面部に連結する連結部とにより断面山形状に形成されることを特徴とする請求項３に記載の光学的情報読取装置。
【請求項５】
前記屈折部は、前記照射側面に複数設けられることを特徴とする請求項１〜４のいずれか一項に記載の光学的情報読取装置。
【請求項６】
前記入射側面は、前記収容構造物に近接する部位の曲率半径が所定値以下に設定されることを特徴とする請求項１〜５のいずれか一項に記載の光学的情報読取装置。
【請求項７】
前記入射側面は、前記収容構造物に近接する部位の曲率半径が、前記光源からの前記照明光を全て前記照射側面に向けて屈折させるように設定されることを特徴とする請求項６に記載の光学的情報読取装置。
【請求項８】
前記照明レンズおよび前記収容構造物は、一体に成形されることを特徴とする請求項１〜７のいずれか一項に記載の光学的情報読取装置。
【発明の詳細な説明】
【技術分野】
【０００１】
本発明は、光学的情報読取装置に関するものである。
【背景技術】
【０００２】
従来、光学的情報読取装置として、下記特許文献１に示す光学的情報読取装置が知られている。この光学的情報読取装置は、照明光源からの入射光を集光及び／又は拡散し照明光として出射する照明用レンズを備えており、この照明用レンズは、複数の凹レンズ条と凸レンズ条とを読取幅方向に交互に連続して配列した多条レンズと、照明光を読取幅と直角な方向に集光する棒状レンズとを一体に有して構成されている。このため、多条レンズにより照明光源からの光が読取幅方向に均一に拡散させ、棒状レンズにより読取幅と直角な方向に拡散しない照明光が得られる。
【先行技術文献】
【特許文献】
【０００３】
【特許文献１】特開２００４−２６６６２１号公報
【発明の概要】
【発明が解決しようとする課題】
【０００４】
ところで、情報コード等を光学的に読み取るための受光センサやこの受光センサの読み取り視野を明確にするマーカ光照射手段等は、光学的条件や省スペース化等のために光源や照明レンズの近傍に配置する必要がある。この場合、照明レンズから出射される照明光の一部がマーカ光照射手段等を収容する収容構造物に遮断されてしまい、読取視野に対する照度が低下してしまうという問題があった。また、上記特許文献１の発明であっても、上述のような収容構造物が照明レンズの近傍にある場合には、読取視野に対する照度が低下してしまう。
【０００５】
本発明は、上述した課題を解決するためになされたものであり、その目的とするところは、読取視野に対する照度の低下を抑制し得る光学的情報読取装置を提供することにある。
【課題を解決するための手段】
【０００６】
上記目的を達成するため、特許請求の範囲に記載の請求項１の光学的情報読取装置では、照明光を出射する光源と、前記光源からの照明光を読取対象に向けて照射する照明レンズと、前記光源に近接するように配置されて前記読取対象からの反射光を受光する受光手段と、収容物を前記受光手段の光軸に近接させるために前記照明レンズに近接して配置される収容構造物と、を備える光学的情報読取装置であって、前記照明レンズは、前記光源から離間する側の照射側面が、当該光源に近接する側の入射側面から屈折して出射する前記照明光を前記収容構造物に対して回避する方向に屈折させるための屈折部を有するように形成されることを特徴とする。
【０００７】
請求項２の発明は、請求項１に記載の光学的情報読取装置において、前記屈折部は、前記照射側面の収容構造物側にのみ設けられることを特徴とする。
【０００８】
請求項３の発明は、請求項１または２に記載の光学的情報読取装置において、前記屈折部は、当該照明レンズの光軸に対して所定の角度傾斜する平面部を有し、この平面部にて前記照明光を前記収容構造物に対して回避する方向に屈折させることを特徴とする。
【０００９】
請求項４の発明は、請求項３に記載の光学的情報読取装置において、前記屈折部は、前記平面部とこの平面部に連結する連結部とにより断面山形状に形成されることを特徴とする。
【００１０】
請求項５の発明は、請求項１〜４のいずれか一項に記載の光学的情報読取装置において、前記屈折部は、前記照射側面に複数設けられることを特徴とする。
【００１１】
請求項６の発明は、請求項１〜５のいずれか一項に記載の光学的情報読取装置において、前記入射側面は、前記収容構造物に近接する部位の曲率半径が所定値以下に設定されることを特徴とする。
【００１２】
請求項７の発明は、請求項６に記載の光学的情報読取装置において、前記入射側面は、前記収容構造物に近接する部位の曲率半径が、前記光源からの前記照明光を全て前記照射側面に向けて屈折させるように設定されることを特徴とする。
【００１３】
請求項８の発明は、請求項１〜７のいずれか一項に記載の光学的情報読取装置において、前記照明レンズおよび前記収容構造物は、一体に成形されることを特徴とする。
【発明の効果】
【００１４】
請求項１の発明では、収容構造物が、マーカ光照射手段等の収容物を受光手段の光軸に近接させるために照明レンズに近接して配置されている。そして、照明レンズは、光源から離間する側の照射側面が、当該光源に近接する側の入射側面から屈折して出射する照明光を収容構造物に対して回避する方向に屈折させるための屈折部を有するように形成されている。
【００１５】
このように、照射側面に形成される屈折部により、入射側面から屈折して出射する照明光が収容構造物に対して回避する方向に屈折されるので、照明光が収容構造物によって遮断されることによる読取視野に対する照度の低下を抑制することができる。
【００１６】
請求項２では、屈折部は、照射側面の収容構造物側にのみ設けられている。照射側面から出射する照明光が全て収容構造物により遮断されることはないため、屈折部を照明光が遮断されやすい収容構造物側にのみに設けることで、照射側面の全面に設ける場合と比較して、当該屈折部を含めた照明レンズを容易に形成することができる。
【００１７】
請求項３では、屈折部は、当該照明レンズの光軸に対して所定の角度傾斜する平面部を有し、この平面部にて照明光を収容構造物に対して回避する方向に屈折させるように形成されている。これにより、収容構造物との位置関係に応じて平面部の傾斜角度を設定することで、照明光を収容構造物に対して確実かつ容易に回避させることができる。
【００１８】
請求項４では、屈折部は、平面部とこの平面部に連結する連結部とにより断面山形状に形成されているため、屈折部の構成が簡素になり当該屈折部を含めた照明レンズを容易に形成することができる。
【００１９】
請求項５では、屈折部は、照射側面に複数設けられるため、各屈折部による屈折方向をそれぞれ設定することで、読取視野における所望の位置の照度を高くすることができる。
【００２０】
請求項６では、入射側面は、収容構造物に近接する部位の曲率半径（以下、近接側曲率半径ともいう）が所定値、すなわち、光源の照射角度と光源および照明レンズ間の距離とに応じて定まる値であって、例えば、光源からの照明光が照明レンズに入射しやすいときの値以下に設定されている。
【００２１】
入射側面の近接側曲率半径が比較的大きく形成されていると、光源の照射角度が広い場合に、当該光源からの照明光における外側の一部が照明レンズに入射しないために読取視野に対する照度が低下することがある。そこで、入射側面の近接側曲率半径を上記所定値以下に設定することにより、光源からの照明光が照明レンズに入射しやすくなるので、読取視野に対する照度の低下を抑制することができる。
【００２２】
請求項７では、入射側面は、近接側曲率半径が、光源からの照明光を全て照射側面に向けて屈折させるように設定されるため、光源からの照明光が照明レンズに入射しない照射状態をなくすことができるので、読取視野に対する照度の低下を確実に抑制することができる。
【００２３】
請求項８では、照明レンズおよび収容構造物が一体に成形されるため、両部材がそれぞれ別部材で構成される場合と比較して、両部材の位置関係を高精度に保つことができる。
【図面の簡単な説明】
【００２４】
【図１】本実施形態に係る光学的情報読取装置の電気的構成を示すブロック図である。
【図２】インナーフレームに固定される光学系を示す斜視図である。
【図３】モジュールの詳細形状を説明するための図であり、図３（Ａ）は正面図であり、図３（Ｂ）は側面図であり、図３（Ｃ）は下面図であり、図３（Ｄ）は背面図である。
【図４】各照明光源および各照明レンズの配置関係を示す断面図である。
【図５】図３の５−５断面を概略的に示す断面図である。
【図６】図６（Ａ）は、屈折部を有する照明レンズによる照明光の屈折状態の説明するための説明図であり、図６（Ｂ）は、屈折部を有しない照明レンズによる照明光の屈折状態の説明するための説明図である。
【図７】モジュールから所定距離だけ離れた位置での水平方向における照度分布を説明するためのグラフであり、図７（Ａ）は、屈折部を有する光学系による照度分布を示し、図７（Ｂ）は、屈折部を有しない従来技術に係る光学系による照度分布を示す。
【図８】モジュールから所定距離だけ離れた位置での垂直方向における照度分布を説明するためのグラフであり、図８（Ａ）は、屈折部を有する光学系による照度分布を示し、図８（Ｂ）は、屈折部を有しない従来技術に係る光学系による照度分布を示す。
【発明を実施するための形態】
【００２５】
以下、本発明の光学的情報読取装置を具現化した一実施形態について、図面を参照して説明する。
図１に示すように、光学的情報読取装置１０は、梱包箱等の読取対象に付されたバーコードや二次元コード等の情報コードを光学的に読み取る携帯型の読取装置として構成されている。この光学的情報読取装置１０は、筐体（図示略）の内部に回路部２０が収容されてなるものであり、回路部２０は、主に、照明光源２１、受光センサ２８、結像レンズ２７等の光学系と、メモリ３５、制御回路４０等のマイクロコンピュータ（以下「マイコン」という）系と、から構成されている。
【００２６】
光学系は、投光光学系と、受光光学系とに分かれている。投光光学系は、例えば、赤色のＬＥＤ等、照明光Ｌｆを出射可能な光源として機能する６つの照明光源２１（照明光源２１ａ〜２１ｆともいう）と、各照明光源２１からの照明光Ｌｆを読取対象Ｓに向けて照射する６つの照明レンズ５１（照明レンズ５１ａ〜５１ｆともいう）とを備えている。なお、図１に示す光学系は、その原理を説明するために概念的な配置で図示されており、光学系を構成する各部材の詳細な機能および配置関係については、後に図２〜図５を用いて詳述する。また、照明光源２１および照明レンズ５１ａ〜５１ｆは、特許請求の範囲に記載の「光源」および「照明レンズ」の一例に相当し得るものである。
【００２７】
受光光学系は、受光センサ２８、結像レンズ２７、反射鏡（図示略）などによって構成されている。受光センサ２８は、ＣＣＤエリアセンサとして構成されるものであり、情報コードＣまたは読取対象Ｓに照射されて反射した反射光Ｌｒを結像レンズ２７を介して受光可能に構成されている。なお、受光センサ２８は、特許請求の範囲に記載の「受光手段」の一例に相当し得るものである。
【００２８】
結像レンズ２７は、外部から読取口１３を介して入射する入射光を集光して受光センサ２８の受光面２８ａに像を結像可能な集光レンズとして機能するものである。本実施形態では、照明光源２１から照射された照明光Ｌｆが情報コードＣにて反射した後、この反射光Ｌｒを結像レンズ２７で集光し、受光センサ２８の受光面２８ａにコード像を結像させている。
【００２９】
また、本実施形態では、光学系の一部としてマーカ光照射部２９が設けられている。このマーカ光照射部２９は、マーカ光としてのレーザ光を出射するレーザダイオードと、レーザダイオードからのレーザ光を集光するレンズと、レーザダイオードを駆動する駆動回路と、を備えた構成をなしている。駆動回路は、制御回路４０に接続されて当該制御回路４０からの信号に応じてレーザダイオードを駆動する。なお、制御回路４０からの指令を受けてレーザダイオードを駆動する駆動回路は公知のレーザダイオード駆動回路を用いることができる。レンズは、レーザダイオードから出射されたマーカ光（レーザ光）を集光し、読取対象Ｓの表面において読取位置の目印となるパターンを表示させるように機能する。なお、マーカ光照射部２９は、特許請求の範囲に記載の「収容物」の一例に相当し得るものである。
【００３０】
次に、上述したマイコン系について説明すると、このマイコン系は、増幅回路３１、Ａ／Ｄ変換回路３３、メモリ３５、アドレス発生回路３６、同期信号発生回路３８、制御回路４０、発光部４３、ブザー４４、バイブレータ４５、液晶表示器４６、通信インタフェース４８等から構成されている。
【００３１】
光学系の受光センサ２８から出力される画像信号（アナログ信号）は、増幅回路３１に入力されることで所定の増幅率で増幅された後、Ａ／Ｄ変換回路３３に入力されると、アナログ信号からディジタル信号に変換される。そして、ディジタル化された画像信号、つまり画像データ（画像情報）は、生成されてメモリ３５に入力されると、所定のコード画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３２】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、前述した画像データ蓄積領域のほかに、制御回路４０が算術演算や論理演算等の各処理時に利用する作業領域や読取条件テーブルなども確保されるようになっている。またＲＯＭには、後述する読取処理等を実行可能な所定のプログラムや、照明光源２１、受光センサ２８等の各ハードウェアを制御可能なシステムプログラムなどが予め格納されている。
【００３３】
制御回路４０は、光学的情報読取装置１０全体を制御可能なマイコンで、ＣＰＵ、システムバス、入出力インタフェース等からなるもので、メモリ３５とともに情報処理装置を構成し得るもので情報処理機能を有する。この制御回路４０は、内蔵された入出力インタフェースを介して種々の入出力装置と接続可能に構成されており、本実施形態の場合、発光部４３、ブザー４４、バイブレータ４５、液晶表示器４６、通信インタフェース４８等が接続されている。
【００３４】
これにより、制御回路４０は、例えば、情報コードＣの読み取りに関する情報を通知するインジケータとして機能する発光部４３の点灯・消灯、ビープ音やアラーム音を発生可能なブザー４４の鳴動のオンオフ、当該光学的情報読取装置１０の作業者に伝達し得る振動を発生可能なバイブレータ４５の駆動制御、液晶表示器４６の表示制御や外部装置とのシリアル通信を可能にする通信インタフェース４８の通信制御等を可能にしている。なお、通信インタフェース４８に接続される外部装置には、当該光学的情報読取装置１０の上位システムに相当するホストコンピュータ等が含まれる。
【００３５】
次に、上述した光学系の構成について、図２〜図４を用いて詳細に説明する。
図２に示すように、光学系を構成する各構成部材は、筐体内に収容されるインナーフレーム１１に対して直接的または間接的に固定されることで位置決めされている。このようにインナーフレーム１１に固定される各構成部材は、光学的条件や省スペース化等のために、配置する場所が制限される。
【００３６】
インナーフレーム１１に固定される各照明レンズ５１ａ〜５１ｆは、マーカ光照射部２９のレーザダイオード等が収容される収容部５５とともに、モジュール５０として、ポリカーボネイト等の光透過性を有する樹脂材料により一体に成形されている。具体的には、図３に示すように、収容部５５の一側（図３の左側）に配置される各照明レンズ５１ａ〜５１ｃと、収容部５５の他側（図３の右側）に配置される各照明レンズ５１ｄ〜５１ｆとが収容部５５を介して一列に連結するように配列されている。このように配置される各照明レンズ５１ａ〜５１ｆの近傍には、図４に示すように、対応する照明光源２１ａ〜２１ｆがそれぞれ配置されている。なお、収容部５５は、特許請求の範囲に記載の「収容構造物」の一例に相当し得るものである。
【００３７】
各照明レンズ５１ａ〜５１ｆのうち収容部５５に近接する照明レンズ５１ｃ，５１ｄは、本発明の特徴的部分であり、収容部５５を介して対称形状であるため、照明レンズ５１ｄを代表例として以下に説明する。
【００３８】
図５に示すように、照明レンズ５１ｄには、照明光源２１ｄから離間する側の面（図５の上側面：以下、照射側面５２という）と当該照明光源２１ｄに近接する側の面（図５の下側面：以下、入射側面５３という）とのうち、照射側面５２の収容部側には、照明光Ｌｆを収容部５５に対して回避する方向に屈折させるための屈折部５４が設けられている。
【００３９】
屈折部５４は、当該照明レンズ５１ｄの光軸に対して所定の角度傾斜する３つの平面部５４ａ〜５４ｃとこれら各平面部５４ａ〜５４ｃに連結する連結部５４ｄ，５４ｅとにより断面山形状が連続するように形成されている。各平面部５４ａ〜５４ｃの傾斜角度は、入射側面５３からの照明光Ｌｆを所望の方向に屈折して出射するように、それぞれ設定されている。具体的には、本実施形態では、各平面部５４ａ〜５４ｃの傾斜角度は、例えば、当該照明レンズ５１ｄの光軸に対して４５°傾斜するように設定されている。
【００４０】
また、入射側面５３は、収容部５５に近接する部位の曲率半径（以下、近接側曲率半径Ｒともいう）が、照明光源２１ｄの照射角度と照明光源２１ｄおよび照明レンズ５１ｄ間の距離とに応じて、照明光源２１ｄからの照明光Ｌｆを全て照射側面５２に向けて屈折させるように、例えばＲ３に設定されている。
照明レンズ５１ｃも、上述した照明レンズ５１ｄと同様に形成されている。
【００４１】
また、図３に示すように、上述したモジュール５０には、収容部５５の近傍に円形の開口部５６が設けられており、この開口部５６は、その内方に配置される受光センサ２８の光軸に対して同軸的に開口するように形成されている。より具体的には、収容部５５および開口部５６は、マーカ光照射部２９の光軸Ｌ１と受光センサ２８の光軸Ｌ２とが平行であって両光軸Ｌ１，Ｌ２を含む平面が各照明レンズ５１ａ〜５１ｆの配列方向に直交するように配置されている。これにより、マーカ光照射部２９および受光センサ２８を互いに近接させつつ両光軸が平行になるように配置することができる。
【００４２】
次に、上述のように構成される光学系の作用効果について、照明レンズ５１ｄから照射される照明光Ｌｆを例に図６を用いて説明する。なお、図６（Ａ）は、屈折部５４を有する照明レンズ５１ｄによる照明光Ｌｆの屈折状態の説明するための説明図であり、図６（Ｂ）は、屈折部を有しない照明レンズ５１ｇによる照明光Ｌｆの屈折状態の説明するための説明図である。
【００４３】
図６（Ａ）に示すように、照明光源２１ｄから照明光Ｌｆが出射されると、この照明光Ｌｆは拡散して入射側面５３から照明レンズ５１ｄに入射する。拡散する照明光Ｌｆのうち照明光源２１ｄからみて最も収容部５５から離れる照明光をＬｆ１、最も収容部５５に近接する照明光をＬｆ２とすると、入射側面５３の近接側曲率半径Ｒは上述のように設定されているため、照明光Ｌｆが全て照射側面５２に向けて屈折されることとなる。
【００４４】
特に、照明光Ｌｆ２は、照射側面５２では、屈折部５４の平面部５４ａにてその傾斜角度に応じて屈折して出射するため、収容部５５を回避するように出射することとなる。また、屈折部５４の平面部５４ｂにて屈折する照明光をＬｆ３とすると、この照明光Ｌｆ３は、平面部５４ｂにてその傾斜角度に応じて屈折して出射するため、当該傾斜角度を好適に設定することで所望の方向の照度を高くすることができる。
【００４５】
照明レンズ５１ｃから出射される照明光Ｌｆも、屈折部５４により同様に屈折して、収容部５５を回避するとともに所望の方向の照度を高くするように出射される。なお、他の照明レンズ５１ａ，５１ｂ，５１ｅ，５１ｆでは、収容部５５を回避する必要がないため、照明光Ｌｆは、従来技術と同様に屈折して照射されることとなる。
【００４６】
一方、図６（Ｂ）に示すように、屈折部を有しない照明レンズ５１ｇでは、照明光源２１ｄからの照明光Ｌｆが入射側面５３から照明レンズ５１ｇに入射すると、照明光Ｌｆ１に対応する照明光Ｌｆ４は、当該照明光Ｌｆ１と同様に屈折されるものの、照明光Ｌｆ２に対応する照明光Ｌｆ５は、収容部５５に遮断されてしまう。また、収容部５５に遮断されなくても照明光Ｌｆ６のように、照射範囲が不必要に広がってしまうと、全体的に照度分布が低下してしまう。
したがって、図６（Ａ）に示すように照射側面５２の適所に屈折部５４を設けることにより、照度分布の低下を抑制することができる。
【００４７】
ここで、照明レンズ５１ｃ，５１ｄを含めた各照明レンズ５１から照射される照明光Ｌｆの照度分布を図７および図８を用いて説明する。図７および図８は、モジュール５０から所定距離だけ離れた位置での水平方向および垂直方向における照度分布を説明するためのグラフであり、図７（Ａ），図８（Ａ）は、屈折部５４を有する光学系による照度分布を示し、図７（Ｂ），図８（Ｂ）は、屈折部５４を有しない従来技術に係る光学系による照度分布を示す。
【００４８】
図７（Ｂ）から判るように、水平方向において、屈折部５４を有しない従来技術に係る光学系では、中央領域での照度が高く、この中央領域から１００ｍｍ程度離れた周辺領域での照度が低くなり、周辺領域で照度が不足している。また、図８（Ｂ）から判るように、垂直方向において、屈折部５４を有しない従来技術に係る光学系では、中央領域と周辺領域とで不均一さは小さいものの全体的に照度が不足している。
【００４９】
一方、図７（Ａ）および図８（Ａ）から判るように、屈折部５４を有する本実施形態に係る光学系では、周辺領域での照度が向上しており、全体的な照度を高くすることができる。
【００５０】
以上説明したように、本実施形態に係る光学的情報読取装置１０では、収容部５５が、収容物であるマーカ光照射部２９のレーザダイオードを受光センサ２８の光軸Ｌ２に近接させるために各照明レンズ５１ａ〜５１ｆに近接して配置されている。そして、各照明レンズ５１ａ〜５１ｆのうち照明レンズ５１ｃ，５１ｄは、照射側面５２が、入射側面５３から屈折して出射する照明光Ｌｆを収容部５５に対して回避する方向に屈折させるための屈折部５４を有するように形成されている。
【００５１】
このように、照射側面５２に形成される屈折部５４により、入射側面５３から屈折して出射する照明光Ｌｆが収容部５５に対して回避する方向に屈折されるので、照明光Ｌｆが収容部５５によって遮断されることによる読取視野に対する照度の低下を抑制することができる。
【００５２】
また、本実施形態に係る光学的情報読取装置１０では、屈折部５４は、照射側面５２の収容部側にのみ設けられている。照射側面５２から出射する照明光Ｌｆが全て収容部５５により遮断されることはないため、屈折部５４を照明光Ｌｆが遮断されやすい収容部側にのみに設けることで、照射側面５２の全面に設ける場合と比較して、当該屈折部５４を含めた照明レンズ５１ｃ，５１ｄを容易に形成することができる。
【００５３】
さらに、本実施形態に係る光学的情報読取装置１０では、屈折部５４は、当該照明レンズの光軸に対して所定の角度傾斜する平面部５４ａ〜５４ｃを有し、これら各平面部５４ａ〜５４ｃにて照明光Ｌｆを収容部５５に対して回避する方向に屈折させるように形成されている。これにより、収容部５５との位置関係に応じて各平面部５４ａ〜５４ｃの傾斜角度を設定することで、照明光Ｌｆを収容部５５に対して確実かつ容易に回避させることができる。
【００５４】
さらにまた、本実施形態に係る光学的情報読取装置１０では、屈折部５４は、各平面部５４ａ〜５４ｃとこれら各平面部５４ａ〜５４ｃに連結する連結部５４ｄ，５４ｅとにより断面山形状が連続するように形成されているため、屈折部５４の構成が簡素になり当該屈折部５４を含めた照明レンズ５１ｃ，５１ｄを容易に形成することができる。
【００５５】
また、本実施形態に係る光学的情報読取装置１０では、屈折部５４を構成する平面部５４ａ〜５４ｃや連結部５４ｄ，５４ｅは、照射側面５２に複数設けられるため、各平面部５４ａ〜５４ｃによる屈折方向をそれぞれ設定することで、読取視野における所望の位置の照度を高くすることができる。
【００５６】
さらに、本実施形態に係る光学的情報読取装置１０では、入射側面５３は、近接側曲率半径Ｒが、照明光源２１ｃ，２１ｄからの照明光Ｌｆを全て照射側面５２に向けて屈折させるように設定されるため、照明光源２１ｃ，２１ｄからの照明光Ｌｆが照明レンズ５１ｃ，５１ｄに入射しない照射状態をなくすことができるので、読取視野に対する照度の低下を確実に抑制することができる。
【００５７】
さらにまた、本実施形態に係る光学的情報読取装置１０では、各照明レンズ５１ａ〜５１ｆおよび収容部５５はモジュール５０として一体に成形されているため、両部材がそれぞれ別部材で構成される場合と比較して、両部材の位置関係を高精度に保つことができる。
【００５８】
なお、本発明は上記実施形態に限定されるものではなく、以下のように具体化してもよく、その場合でも、上記実施形態と同等の作用・効果が得られる。
（１）照明レンズ５１ｄの近接側曲率半径Ｒは、照明光源２１ｄの照射角度と照明光源２１ｄおよび照明レンズ５１ｄ間の距離とに応じて定まる所定値、例えば、照明光源２１ｄからの照明光Ｌｆが照明レンズ５１ｄに入射しやすいときの値以下に設定されてもよい。この場合でも、照明光源２１ｄからの照明光Ｌｆが照明レンズ５１ｄに入射しやすくなるので、読取視野に対する照度の低下を抑制することができる。また、照明レンズ５１ｃの近接側曲率半径Ｒを上述のように構成しても同様の効果を奏する。
【００５９】
（２）屈折部５４は、照明レンズ５１ｃ，５１ｄの照射側面５２の収容部側にのみ形成されることに限らず、照射側面５２の全面に設けられてもよい。また、照明光Ｌｆを所望の方向に屈折して出射するために、他の照明レンズに屈折部５４を設けてもよい。
【００６０】
（３）モジュール５０を構成する照明レンズ５１は６個であることに限らず、１〜５個でもよいし７個以上であってもよい。この場合、収容部５５の近傍の照明レンズに屈折部５４が設けられることとなる。
【符号の説明】
【００６１】
１０…光学的情報読取装置
２１，２１ａ〜２１ｆ…照明光源（光源）
２８…受光センサ（受光手段）
２９…マーカ光照射部（収容物）
５０…モジュール
５１，５１ａ〜５１ｆ…照明レンズ
５２…照射側面
５３…入射側面
５４…屈折部
５４ａ〜５４ｃ…平面部
５４ｄ，５４ｅ…連結部
５５…収容部（収容構造物）
Ｌｆ，Ｌｆ１〜Ｌｆ３…照明光
Ｒ…近接側曲率半径
【図１】
2011123791.tif 000003
【図２】
2011123791.tif 000004
【図３】
2011123791.tif 000005
【図４】
2011123791.tif 000006
【図５】
2011123791.tif 000007
【図６】
2011123791.tif 000008
【図７】
2011123791.tif 000009
【図８】
2011123791.tif 000010